【事件の表示】
　特願２００６−５０７１１６「仕分けコンベヤ」拒絶査定不服審判事件〔平成１６年　９月２３日国際公開、ＷＯ２００４／０８０８５０、平成１８年　８月３１日国内公表、特表２００６−５１９７４３〕について、次のとおり審決する。
【結　論】
　本件審判の請求は、成り立たない。
【理　由】
１．手続の経緯・本願発明
　
　本願は、２００４年３月１２日（パリ条約による優先権主張外国庁受理２００３年３月１２日、アメリカ合衆国）を国際出願日とする出願であって、平成１７年９月１２日付けで特許法第１８４条の５第１項の規定による書面が提出され、平成１７年１１月１０日付けで特許法第１８４条の４第１項に規定する翻訳文が提出され、平成２１年１１月２５日付けで拒絶理由が通知され、平成２２年６月１日付けで意見書が提出されたが、平成２２年８月３１日付けで拒絶査定がなされ、平成２３年１月７日に拒絶査定に対する審判請求がなされると同時に同日付けで特許請求の範囲を補正する手続補正書が提出され、さらに、当審において平成２３年５月９日付けで書面による審尋がなされ、平成２３年８月２６日付けで回答書が提出されたが、当審において平成２４年２月１０日付けで拒絶理由（以下、「当審拒絶理由」という。）が通知され、これに対し、平成２４年８月９日付けで意見書及び手続補正書が提出されたものであって、その請求項１ないし５９に係る発明は、平成２４年８月９日付けの手続補正書により補正された特許請求の範囲並びに出願当初の明細書及び図面の記載からみて、その特許請求の範囲の請求項１ないし５９に記載された事項によって特定されるとおりのものであるところ、その請求項２５ないし２９に係る発明（以下、それぞれ「本願発明１ないし５」という。）、請求項３７ないし３９に係る発明（以下、それぞれ「本願発明６ないし８」という。）及び請求項５８に係る発明（以下、「本願発明９」という。）は以下のとおりである。
　
「　　【請求項２５】
　払出し場所で物品を選択的に払出せる仕分けコンベヤであって、
　該仕分けコンベヤは、
　ａ．長手方向下流に移動するように構成される無端搬送面と、
　ｂ．前記払出し場所に関連するスイッチと、
　ｃ．該スイッチの下流に配置され、複数の払出し角度を有する払出し案内経路と、
　ｄ．前記無端搬送面により保持され、且つ該無端搬送面とともに移動するように構成される複数のプッシャであって、該複数のプッシャはそれぞれ、前記スイッチにより選択的に払出されて前記払出し案内経路に沿って移動することにより、前記物品の選択された１つと係合して払出せるように構成される、複数のプッシャと、
　ｅ．前記払出し案内経路の少なくとも一部であって、前記プッシャの内の複数からなる払出された組の少なくとも１つのプッシャが前記物品の前記選択された１つと最初に接触するときに、２０°未満の接触払出し角度で該一部に沿って移動する前記払出された組の前記少なくとも１つのプッシャを案内するように構成される、前記払出し案内経路の少なくとも一部と
を備える仕分けコンベヤ。（以下、「本願発明１」という。）
　　【請求項２６】
　前記接触払出し角度は約１０°未満である、請求項２５に記載の仕分けコンベヤ。（以下、「本願発明２」という。）
　　【請求項２７】
　前記接触払出し角度は約５°未満である、請求項２５に記載の仕分けコンベヤ。（以下、「本願発明３」という。）
　　【請求項２８】
　前記一部は直線部分を含む、請求項２５〜２７のいずれか一項に記載の仕分けコンベヤ。（以下、「本願発明４」という。）
　　【請求項２９】
　前記一部は全て直線状である、請求項２８に記載の仕分けコンベヤ。（以下、「本願発明５」という。）
　　【請求項３７】
　払出し場所で長手方向下流に移動する無端搬送面上に配置される物品を選択的に払出せる方法であって、
　ａ．前記無端搬送面上に取り付けられた複数のプッシャを準備し、前記無端搬送面とともに移動させるステップと、
　ｂ．前記無端搬送面を前記長手方向下流に移動させるステップと、
　ｃ．複数のプッシャからなる払出された組の少なくとも１つのプッシャが最初の接触払出し角度で移動している間に、払出される前記物品の選択された１つを前記少なくとも１つのプッシャと最初に接触させるステップであって、前記最初の接触角度は約２０°未満であるステップと、
　ｄ．該最初に接触させるステップの後に、前記の払出された組を、払出し案内経路に沿って複数の払出し角度で案内するステップと
を含む方法。（以下、「本願発明６」という。）
　　【請求項３８】
　前記最初の接触角度は１０°未満である、請求項３７に記載の方法。（以下、「本願発明７」という。）
　　【請求項３９】
　前記最初の接触角度は５°未満である、請求項３７に記載の方法。（以下、「本願発明８」という。）
　【請求項５８】
　払出し場所で物品を選択的に払出せるように構成される仕分けコンベヤであって、
　該仕分けコンベヤは、
　ａ．前記払出し場所に関連する複数のスイッチであって、該複数のスイッチの１つは、
該複数のスイッチの最後のスイッチを含む複数のスイッチと、
　ｂ．少なくとも１つの半径を有する弓状部分を備え、該少なくとも１つの半径は少なくとも約０．３０メートルである、前記最後のスイッチに関連する払出し案内経路と
を備える仕分けコンベヤ。（以下、「本願発明９」という。）」　
　
２．引用文献１及び２に記載された発明
２−１．引用文献１に記載された発明　
（１）引用文献１の記載　
　当審拒絶理由に引用された本願の優先日前に頒布された特開２００３−３４４２５号公報（平成１５年２月７日公開。以下、「引用文献１」という。）には、次のような記載がある。
　
（ア）「【００２８】実施形態１
図１〜図５は本例の仕分装置による物品Ｐの分岐搬送の場合の状態を説明的に平面図で示したものであり、この図１において、１は直進するスラットコンベアを示し、かつこのスラットコンベア１は、搬送方向に短い寸法でかつ殆ど隙間なく連設されたスラット１０１と、このスラット１０１個々に外装嵌挿（図２〜図５参照）された移動シュー２とを有するように設けられている。１０２はスラットコンベアのスラット１０１を無端回動させる左右一対の直進レールを示し、これらのレール１０２には無端回動チェーン１０３が装架されていて、移動シュー２を上記レール１０２に沿って無端回動させるように設けられている。なお、本例における物品Ｐは、農産物（リンゴ等）を上面中央に設けた凹部に載せたフリートレイ３として形成されていて、平面でみた外形は円形の同一形状になっている。
【００２９】また本例においては、移動シューを直進搬送させるかあるいは分岐搬送させるかする位置を決める直進・分岐の位置選択装置が図３〜図５に示されるように設けられている。
【００３０】すなわち、本例における移動シュー２は、直進搬送される直進位置（図２の実線参照）にある状態から、分岐位置（図２の二点鎖線、図３の実線参照）にある状態に搬送横方向の位置が変更できるように、搬送横方向に移動可能にかつ自転不能にスラット１０１に外装嵌挿されている。
【００３１】そしてこの移動シュー２は、スラット上部の位置に移動シュー側バネ手段のハウジング２０１が、摺動ロッド２０２と、この摺動ロッド２０２をスラット１０１の分岐側とは反対方向に押圧するバネ２０３とを収容するように設けられている。摺動ロッド２０２は該ハウジング２０１からスラット１０１に沿って外部に突出するように設けられ、スラット１０１の端部に固定的に設けた固定バネ手段１０５の摺動ロッド１０５２と係合されている。１０５１は固定バネ手段のハウジング、１０５３はバネであり、この固定バネ手段１０５の構造は、上記移動シュー側バネ手段とその向きが反対である他は同様に構成されていて、従って両者のバネ２０３，１０５３の双方のバネ力により離反する方向に常時バネ力が作用している。そして、固定バネ手段のハウジング１０５１に枢軸ピン１０６により搬送方向の軸回りに回転可能に支持された係合フック１０７が、移動シュー２上に設けた係合ピン２０４と係合可能になっていて、常時は、該係合フック１０７と係合ピン２０４の係合により、移動シュー２を図２の実線位置にロックさせ、後述するロック解除手段６により該ロックが解除されると、上記一対のバネ２０３，１０５３のバネ力により移動シュー２が押圧されて分岐位置（図２の二点鎖線位置）に移動されることになる。なお係合フック１０７は係合ピン２０４と係合する方向にバネ力が作用するように捩りバネ（図示せず）が組み付けられている。２０５は弾性シートであり、移動シューがフリートレイ３に衝合する際の衝撃を和らげるためのものである。以上の係合フック、係合ピン、バネ等により直進・分岐の位置選択装置が構成される。
【００３２】また、移動シュー２のスラット下側には、垂直軸回りに回転可能のローラ２０６が垂下されていて、分岐搬送ガイド溝５０１（本例では３本）を有する分岐搬送ガイドとしてのガイド板５により、上記ローラ２０６がガイド溝５０１に案内されて図１に示すように分岐コンベア４にフリートレイ３を搬出するようになっている。なお５０２，５０３は、フリートレイ３を分岐コンベア４に搬出させた後の移動シュー２を初期位置（直進位置）に復帰させるための戻り搬送溝と戻り搬送ガイドである。」（段落【００２８】ないし【００３２】）
　
（イ）「【００３３】６はロック解除手段であり、上記係合フック１０７の係合ピン２０４に対する係合を所定の位置で解除できるように、スラットコンベア１の搬送路の定点位置に設けられている（本例では３個）。このロック解除手段は、図２〜図４に示すように、スラットコンベア１の支持フレーム７に固定して設けられた電磁ソレノイド６０１と、一端が支持フレーム７に搬送方向の軸回りに回転可能に支持され、先端が上記係合フックを図２の時計回り方向に押圧回転させることができるように係合可能とされ、中間部が上記電磁ソレノイド６０１により先端を図２の反時計回り方向に回転できるように係合したロック解除レバー６０２とを備えていて、通常は捩りバネ（図示せず）により、ロック解除レバー６０２の先端が係合フック１０７から離間する方向にバネ力が付勢されている。具体的には、少なくとも移動シュー２に保持されて、前記ロック解除により該移動シュー２をスラット１０１に対して搬送横方向に連行移動させる移動部材である摺動ロッド２０２と、この摺動ロッド２０２に該搬送横方向の押圧力を作用するバネ２０３とを有する。本例におけるこの機構は、上記のように少なくとも、移動シュー２に保持されて、前記ロック解除により該移動シュー２をスラット１０１に対して搬送横方向に連行移動させる摺動ロッド２０２と、この摺動ロッド２０２に該搬送横方向の押圧力を作用するバネ２０３とを有するように設けられるが、後述するように、移動シュー２に搬送横方向のバネ力を作用する他の機構を付加することもできる。
【００３４】なおこのロック解除手段は、図示しない制御装置からの信号により、指示された分岐コンベアへのフリートレイ３の搬出を行うように設けられる。
【００３５】この制御装置によるロック解除レバー６０２の好ましい動作態様は次のように説明される。
【００３６】すなわち、ロック解除レバー６０２が作動して移動シュー２により、本例の農産物Ｐを載せた例えばフリートレイ３で代表的に採用される平面円形の形状をなす物品を搬送横方向に移動させる場合、該移動シュー２の最も理想的，効率的な作動は、フリートレイ３を搬送横方向に移動させるのに必要・十分なものだけを動作させることで達成される。平面矩形の物品の場合（実施形態２参照）も同様である。従って、かかる理想的な条件で実施できる場合には、搬送方向に連設される移動シュー２の一つをロック解除して搬送横方向に移動させればよい。具体的には図４に示すように、搬送する物品の搬送方向長の１／２っＬの位置で該物品に係合する移動シュー２を搬送横方向に移動させればよい。
【００３７】しかし、実機では種々の変動要因の影響を受ける場合が多いので、仕分動作の確実性，安定性を確保するためには、この機構を次のように構成することが好ましい。すなわち、上記スラットコンベア１の搬送方向に沿った所定位置に設けた上記ロック解除手段６によりロックが解除される移動シュー２は、少なくとも搬送する物品Ｐの搬送方向長の１／２の位置で該物品Ｐに係合するように搬送横方向に移動されるものを含むように構成することが好ましい。
【００３８】より好ましい具体例としは、搬送される一つの物品Ｐに対して搬送横方向に移動される移動シュー２は、搬送方向長の（１／２）・Ｌの位置で該物品に係合するように移動される移動シュー２と、これに続く一乃至複数の移動シュー２とを含むことを特徴とするように物品の仕分装置を構成することが好ましく、より望ましくは、搬送される物品Ｐの搬送方向長の（１／２）・Ｌの位置で該物品Ｐに係合するように搬送横方向に移動される移動シュー２には、スラットコンベア１０１上を搬送される物品Ｐが所定位置を通過したことを検知する搬送位置検知手段（センサー８：図４参照）からの信号により動作されるロック解除手段６を有する移動シュー押圧手段と連係させる構成のものを挙げることができる。」（段落【００３３】ないし【００３８】）
　
（２）引用文献１記載の事項
　上記（１）（ア）及び（イ）並びに図面の記載から、以下の事項がわかる。
（ウ）払出し場所で物品を選択的に払出せる仕分けコンベヤであることが分かる。
　
（エ）レール１０２には無端回動チェーン１０３が装架され、直進レール１０２によりスラットコンベアのスラット１０１は無端回動しているから、
　仕分けコンベアは、長手方向下流に移動するように構成される無端搬送面を有することが分かる。
　
（オ）直進・分岐の位置選択装置の下流に配置されたガイド板５は、直線部分及び分岐搬送ガイド溝５０１の湾曲部分を有するから、
　直進・分岐の位置選択装置の下流に配置されたガイド板５は、複数の払出し角度を有することが分かる。
　
（カ）搬送される一つの物品に対して搬送横方向に移動される移動シュー２は、搬送方向長の（１／２）・Ｌの位置で該物品に係合するように移動される移動シュー２と、これに続く一乃至複数の移動シュー２とを含むから、
　移動シュー２には、複数からなる払出された組があることが分かる。
　
（キ）複数からなる払出された組の少なくとも１つの移動シュー２が物品の選択された１つと最初に接触するときに、０°の接触払い出し角度であるガイド板５の直線部分に沿って移動することが分かる。
　
（３）引用発明１　
　以上、上記（１）（ア）及び（イ）、（２）（ウ）ないし（キ）並びに図面を参酌すると、引用文献１には以下の発明が記載されているといえる。　
　
「　払出し場所で物品を選択的に払出せる仕分けコンベヤであって、
　該仕分けコンベヤは、
　ａ．長手方向下流に移動するように構成される無端搬送面と、
　ｂ．前記複数の分岐路の１つに関連する直進・分岐の位置選択装置と、
　ｃ．該直進・分岐の位置選択装置の下流に配置され、複数の払出し角度を有するガイド板５と、
　ｄ．前記無端搬送面により外装嵌挿され、且つ該無端搬送面とともに移動するように構成される複数の移動シュー２であって、該複数の移動シュー２はそれぞれ、前記直進・分岐の位置選択装置により選択的に払出されて前記ガイド板５に案内されて搬出することにより、前記物品の選択された１つと係合して払出せるように構成される、複数の移動シュー２と、
　ｅ．前記ガイド板５の少なくとも一部であって、前記移動シュー２の内の複数からなる払出された組の少なくとも１つの移動シュー２が前記物品の前記選択された１つと最初に接触するときに、０°の接触払い出し角度でガイド板５に沿って移動する前記払出された組の前記少なくとも１つの移動シュー２を案内するように構成される、前記ガイド板５の少なくとも一部と
を備える仕分けコンベヤ。」（以下、「引用発明１の１」という。）
　
「　払出し場所で長手方向下流に移動する無端搬送面上に配置される物品を選択的に払出せる方法であって、
　ａ．前記無端搬送面上に取り付けられた複数の移動シュー２を準備し、前記無端搬送面とともに移動させるステップと、
　ｂ．前記無端搬送面を前記長手方向下流に移動させるステップと、
　ｃ．複数の移動シュー２からなる払出された組の少なくとも１つの移動シュー２が最初の接触払出し角度で移動している間に、払出される前記物品の選択された１つを前記少なくとも１つの移動シュー２と最初に接触させるステップであって、前記最初の接触角度は０°であるステップと、
　ｄ．該最初に接触させるステップの後に、前記の払出された組を、ガイド板５に沿って複数の払出し角度で案内するステップと
を含む方法。」（以下、「引用発明１の２」という。）
　
「　分岐搬送ガイド溝５０１が、少なくとも１つの半径を有する弓状部分を備えた仕分けコンベヤ。」（以下、「引用発明１の３」という。）
　
２−２．引用文献２に記載された発明
（１）引用文献２の記載
　当審拒絶理由に引用された本願の優先日前に頒布された特表２００１−５０３３６１号公報（以下、「引用文献２」という。）には、次のような記載がある。
　
（ア）「　図１は、本質的にメインコンベヤ９と少なくとも１つの分岐コンベヤ５とからなる、貨物３ａ〜ｅを分別するための搬送装置１０の平面図を示す。分岐コンベヤ５はメインコンベヤ９の側方に隣接して、これに対して角度Θで配置されている。矢印Ｆ1およびＦ2は、メインコンベヤ９および分岐コンベヤ５の搬送方向を示している。
　メインコンベヤ９は、複数の搬送面部分１３から形成された搬送面１を有している。平面図で矩形に形成された搬送面部分１３は、その長手方向延在によりメインコンベヤの搬送方向Ｆ1に対して直角に形成されており、それぞれ端部でレール状のサイドフレーム要素２および２ａに導かれている。循環するチェーンを形成するために搬送面部分１３を互いに結合することに関しては、ＵＳ特許第５１２７５１０号に個々に詳細に説明されているので、ここではその開示内容を参照することとし、以下に繰り返さない。
　メインコンベヤ９の分岐コンベヤ５とは反対側の長手方向側面に沿って、一連の導出要素１４が搬送面部分１３に配置されている。貨物３をメインコンベヤ９から分岐コンベヤ５に導出する目的で導出要素１４が一時的に利用されないときは、導出要素１４はその下側面に配置された案内要素２１を介して、搬送面部分１３の下方に配置されているガイドレール１２ｂの中で、搬送面１の長手方向側面に沿って延びている案内軌道８で案内される。案内要素２１は下方へガイドレール１２ｂの方向に延びており、ガイドレール１２ｂの役割は、導出要素１４が分岐コンベヤ５を有する範囲を除いて独自に搬送面１を横断して動くのを妨げることである。分岐コンベヤ５の範囲内では、ガイドレール１２ｂの経路に導出用のポイント２５ａおよび２５ｂが配置されている。これらの導出用のポイント２５ａおよび２５ｂは、メインコンベヤ９と分岐コンベヤ５とのすべての接続範囲に設けられている。さらに、導出運動が行われた後に導出要素１４ａおよび１４ｂを搬送面１にわたって斜めにメインコンベヤ９の反対側の出口側に引き戻す手段が設けられている。これらの手段は図面には示されておらず、本発明の枠内では詳しく考察されない。導出要素１４ｂは搬送方向Ｆ1で見て上流側に置かれた第１の導出レールによって案内され、導出要素１４ａは搬送方向Ｆ1で見て下流側に置かれた第２の導出レールによって案内される。
　図２は図１に対応する搬送装置１０の平面図を示している。ここでは分岐コンベヤ５がメインコンベヤ９に接続する範囲内では図は上部をはがした形であり、搬送面１の下方に配置された構成部材が見えるようになっている。導出用のポイント２５ａおよび２５ｂが、静止位置にある導出要素１４のための案内軌道８の経路中におよび分岐コンベヤ５に配置されているメインコンベヤ９の長手方向側面に配置されていることが図２から推測することができる。導出用のポイント２５ａおよび２５ｂは、好ましくはＵＳ特許第５０３８９１２号に記載された形式で構成されており、ここではその開示内容を参照することとする。第１の導出レール１１はその経路において２つの部分に区分されている。第１の導出レール１１の第１の部分は第２の導出レール１５と平行に延び、第２の部分は第２の導出レール１５の方向で湾曲して形成されていて、その端部で第２の導出レール１５と結合する。第１の導出用のポイント２５ｂがその導出位置に切り替えられると、導出要素１４は案内軌道８から第１の導出レール１１の方向に転向される。第１の導出用のポイント２５ｂが導出位置に切り替えられずに静止位置にある場合は、導出要素１４は第１の導出用のポイント２５ｂを越えて第２の導出用のポイント２５ａに当たるまで、引き続きメインコンベヤ９の長手方向側面に沿って案内軌道８に接して案内される。第２の導出用のポイント２５ａを越えると、導出用のポイント２５ａの切替状態に応じて、再び導出要素１４を第２の導出レール２０に転向させるか、あるいは引き続き案内軌道８に沿って案内することが可能である。
　図１に、種々の大きさと種々の矩形底面積を有する５１の貨物３ａ〜３ｅがメインコンベヤ９上に相前後して示されている。貨物３ｃはちょうど２つの導出要素１４ａおよび１４ｂによってメインコンベヤ９の搬送面１から分岐コンベヤ５の方向に押しやられている。このために導出要素１４ａおよび１４ｂは同時に一方の長手方向側面と、好ましくはそれらの端部の近傍で貨物３ｃと係合し、当該貨物３ｃを第１の導出レール１１の第１の部分の範囲内でメインコンベヤ９の搬送方向Ｆ1に平行に分岐コンベヤ５の方向に押しやる。この導出過程の第１の部分中に、貨物３ｃは搬送面１上で搬送方向Ｆ1に対して相対的に回転されない。それにより、搬送方向Ｆ1中で続く貨物３ｄは非常にわずかな間隔で導出される貨物３ｃに続くことができる。導出要素１４ｂが第１の導出レール１６の第１の部分に沿って案内される間に、導出要素１４ｂは第２の導出レール１５に対してほぼ平行に動く。導出要素１４ｂは第１の導出レール１１の第２の湾曲部分に到達して初めて、湾曲した軌道上で搬送方向Ｆ1で後に続いている第２の導出レール１５の方向に移動し始める。このようにすることによって、以下の説明でなお詳しく述べるように、導出要素１４ｂが第１の導出レール１１の第２の部分に進入すると、貨物３ｃに分岐コンベヤ５の方向で回転力が加えられる。」（第１２ページ第９行ないし第１４ページ第１８行）　
　
（２）引用文献２記載の事項
　上記（１）（ア）及び図面の記載から、以下の事項がわかる。
（イ）メインコンベヤ９から分岐コンベヤ５に貨物を分別して払出せるように構成されているから、
　払出し場所で貨物を選択的に払出せるように構成される仕分けコンベヤであることが分かる。
　
（３）引用発明２　
　以上、上記（１）（ア）及び（２）（イ）、並びに図面を参酌すると、引用文献２には以下の発明が記載されているといえる。
　
「　払出し場所で貨物を選択的に払出せるように構成される仕分けコンベヤであって、
　該仕分けコンベヤは、
　ａ．前記払出し場所に関連する導出用のポイント２５ａ、２５ｂであって、該導出用のポイント２５ａ、２５ｂの１つは、
該導出用のポイント２５ａ、２５ｂの導出用のポイント２５ａを含む導出用のポイント２５ａ、２５ｂと、
　ｂ．前記導出用のポイント２５ａに関連する導出レール１５と
を備える仕分けコンベヤ。」（以下、「引用発明２」という。）
　
３−１．対比・判断１
　本願発明１と引用発明１の１を対比すると、引用発明１の１における「直進・分岐の位置選択装置」は、その機能及び構成からみて、本願発明１における「スイッチ」に相当し、以下同様に、「ガイド板５」は「払出し案内経路」に、「外装嵌挿」は「保持」に、「移動シュー２」は「プッシャ」に、「案内されて搬出する」は「沿って移動する」に、それぞれ相当する。
　また、引用発明１の１における「０°の接触払い出し角度でガイド板５に沿って移動する」は、「所定の接触払い出し角度で払出し案内経路に沿って移動する」という限りにおいて、本願発明１における「２０°未満の接触払出し角度で該一部に沿って移動する」に相当する。
　
　したがって、両者は、
「　払出し場所で物品を選択的に払出せる仕分けコンベヤであって、
　該仕分けコンベヤは、
　ａ．長手方向下流に移動するように構成される無端搬送面と、
　ｂ．前記払出し場所に関連するスイッチと、
　ｃ．該スイッチの下流に配置され、複数の払出し角度を有する払出し案内経路と、
　ｄ．前記無端搬送面により保持され、且つ該無端搬送面とともに移動するように構成される複数のプッシャであって、該複数のプッシャはそれぞれ、前記スイッチにより選択的に払出されて前記払出し案内経路に沿って移動することにより、前記物品の選択された１つと係合して払出せるように構成される、複数のプッシャと、
　ｅ．前記払出し案内経路の少なくとも一部であって、前記プッシャの内の複数からなる払出された組の少なくとも１つのプッシャが前記物品の前記選択された１つと最初に接触するときに、所定の接触払い出し角度で払出し案内経路に沿って移動する前記払出された組の前記少なくとも１つのプッシャを案内するように構成される、前記払出し案内経路の少なくとも一部と
を備える仕分けコンベヤ。」
で一致し、次の点で相違する。
　
（相違点）
　本願発明１においては、プッシャが物品と最初に接触するときに、２０°未満の接触払出し角度で払出し案内経路の一部に沿って移動するのに対し、引用発明１の１においては、プッシャが物品と最初に接触するときに、０°の接触払出し角度で払出し案内経路に沿って移動する点（以下、「相違点１」という。）。
　
　上記相違点１について検討する。
　
　本願発明１における２０°未満の接触払出し角度は、引用発明１の１における０°の接触払出し角度を含むものであり、２０°未満とすることによる臨界的意義も認められないので、引用発明１の１において、上記相違点１に係る本願発明１の発明特定事項のようにすることは、当業者が容易に推考し得るものである。
　
　また、本願発明１を全体としてみても、引用発明１の１から予測される以上の格別な効果を奏するとも認められない。
　
　以上から、本願発明１は、引用発明１の１に基づいて、当業者が容易に発明をすることができたものである。
　
３−２．対比・判断２
　本願発明２と引用発明１の１を対比すると、引用発明１の１における「直進・分岐の位置選択装置」は、その機能及び構成からみて、本願発明２における「スイッチ」に相当し、以下同様に、「ガイド板５」は「払出し案内経路」に、「外装嵌挿」は「保持」に、「移動シュー２」は「プッシャ」に、「案内されて搬出する」は「沿って移動する」に、それぞれ相当する。
　また、引用発明１の１における「０°の接触払い出し角度でガイド板５に沿って移動する」は、「所定の接触払い出し角度で払出し案内経路に沿って移動する」という限りにおいて、本願発明２における「１０°未満の接触払出し角度で該一部に沿って移動する」に相当する。
　
　したがって、両者は、
「　払出し場所で物品を選択的に払出せる仕分けコンベヤであって、
　該仕分けコンベヤは、
　ａ．長手方向下流に移動するように構成される無端搬送面と、
　ｂ．前記払出し場所に関連するスイッチと、
　ｃ．該スイッチの下流に配置され、複数の払出し角度を有する払出し案内経路と、
　ｄ．前記無端搬送面により保持され、且つ該無端搬送面とともに移動するように構成される複数のプッシャであって、該複数のプッシャはそれぞれ、前記スイッチにより選択的に払出されて前記払出し案内経路に沿って移動することにより、前記物品の選択された１つと係合して払出せるように構成される、複数のプッシャと、
　ｅ．前記払出し案内経路の少なくとも一部であって、前記プッシャの内の複数からなる払出された組の少なくとも１つのプッシャが前記物品の前記選択された１つと最初に接触するときに、所定の接触払い出し角度で払出し案内経路に沿って移動する前記払出された組の前記少なくとも１つのプッシャを案内するように構成される、前記払出し案内経路の少なくとも一部と
を備える仕分けコンベヤ。」
で一致し、次の点で相違する。
　
（相違点）
　本願発明２においては、プッシャが物品と最初に接触するときに、１０°未満の接触払出し角度で払出し案内経路の一部に沿って移動するのに対し、引用発明１の１においては、プッシャが物品と最初に接触するときに、０°の接触払出し角度で払出し案内経路に沿って移動する点（以下、「相違点２」という。）。
　
　上記相違点２について検討する。
　
　本願発明２における１０°未満の接触払出し角度は、引用発明１の１における０°の接触払出し角度を含むものであり、１０°未満とすることによる臨界的意義も認められないので、引用発明１の１において、上記相違点２に係る本願発明２の発明特定事項のようにすることは、当業者が容易に推考し得るものである。
　
　また、本願発明２を全体としてみても、引用発明１の１から予測される以上の格別な効果を奏するとも認められない。
　
　以上から、本願発明２は、引用発明１の１に基づいて、当業者が容易に発明をすることができたものである。
　
３−３．対比・判断３
　本願発明３と引用発明１の１を対比すると、引用発明１の１における「直進・分岐の位置選択装置」は、その機能及び構成からみて、本願発明３における「スイッチ」に相当し、以下同様に、「ガイド板５」は「払出し案内経路」に、「外装嵌挿」は「保持」に、「移動シュー２」は「プッシャ」に、「案内されて搬出する」は「沿って移動する」に、それぞれ相当する。
　また、引用発明１の１における「０°の接触払い出し角度でガイド板５に沿って移動する」は、「所定の接触払い出し角度で払出し案内経路に沿って移動する」という限りにおいて、本願発明３における「５°未満の接触払出し角度で該一部に沿って移動する」に相当する。
　
　したがって、両者は、
「　払出し場所で物品を選択的に払出せる仕分けコンベヤであって、
　該仕分けコンベヤは、
　ａ．長手方向下流に移動するように構成される無端搬送面と、
　ｂ．前記払出し場所に関連するスイッチと、
　ｃ．該スイッチの下流に配置され、複数の払出し角度を有する払出し案内経路と、
　ｄ．前記無端搬送面により保持され、且つ該無端搬送面とともに移動するように構成される複数のプッシャであって、該複数のプッシャはそれぞれ、前記スイッチにより選択的に払出されて前記払出し案内経路に沿って移動することにより、前記物品の選択された１つと係合して払出せるように構成される、複数のプッシャと、
　ｅ．前記払出し案内経路の少なくとも一部であって、前記プッシャの内の複数からなる払出された組の少なくとも１つのプッシャが前記物品の前記選択された１つと最初に接触するときに、所定の接触払い出し角度で払出し案内経路に沿って移動する前記払出された組の前記少なくとも１つのプッシャを案内するように構成される、前記払出し案内経路の少なくとも一部と
を備える仕分けコンベヤ。」
で一致し、次の点で相違する。
　
（相違点）
　本願発明３においては、プッシャが物品と最初に接触するときに、５°未満の接触払出し角度で払出し案内経路の一部に沿って移動するのに対し、引用発明１の１においては、プッシャが物品と最初に接触するときに、０°の接触払出し角度で払出し案内経路に沿って移動する点（以下、「相違点３」という。）。
　
　上記相違点３について検討する。
　
　本願発明３における５°未満の接触払出し角度は、引用発明１の１における０°の接触払出し角度を含むものであり、５°未満とすることによる臨界的意義も認められないので、引用発明１の１において、上記相違点３に係る本願発明３の発明特定事項のようにすることは、当業者が容易に推考し得るものである。
　
　また、本願発明３を全体としてみても、引用発明１の１から予測される以上の格別な効果を奏するとも認められない。
　
　以上から、本願発明３は、引用発明１の１に基づいて、当業者が容易に発明をすることができたものである。
　
３−４．対比・判断４
　本願発明４と引用発明１の１を対比すると、引用発明１の１における「直進・分岐の位置選択装置」は、その機能及び構成からみて、本願発明４における「スイッチ」に相当し、以下同様に、「ガイド板５」は「払出し案内経路」に、「外装嵌挿」は「保持」に、「移動シュー２」は「プッシャ」に、「案内されて搬出する」は「沿って移動する」に、それぞれ相当する。
　また、引用発明１の１における「０°の接触払い出し角度でガイド板５に沿って移動する」は、「所定の接触払い出し角度で払出し案内経路に沿って移動する」という限りにおいて、本願発明４における「２０°未満の接触払出し角度で直線部分を含む該一部に沿って移動する」に相当する。
　
　したがって、両者は、
「　払出し場所で物品を選択的に払出せる仕分けコンベヤであって、
　該仕分けコンベヤは、
　ａ．長手方向下流に移動するように構成される無端搬送面と、
　ｂ．前記払出し場所に関連するスイッチと、
　ｃ．該スイッチの下流に配置され、複数の払出し角度を有する払出し案内経路と、
　ｄ．前記無端搬送面により保持され、且つ該無端搬送面とともに移動するように構成される複数のプッシャであって、該複数のプッシャはそれぞれ、前記スイッチにより選択的に払出されて前記払出し案内経路に沿って移動することにより、前記物品の選択された１つと係合して払出せるように構成される、複数のプッシャと、
　ｅ．前記払出し案内経路の少なくとも一部であって、前記プッシャの内の複数からなる払出された組の少なくとも１つのプッシャが前記物品の前記選択された１つと最初に接触するときに、所定の接触払い出し角度で払出し案内経路に沿って移動する前記払出された組の前記少なくとも１つのプッシャを案内するように構成される、前記払出し案内経路の少なくとも一部と
を備える仕分けコンベヤ。」
で一致し、次の点で相違する。
　
（相違点）
　本願発明４においては、プッシャが物品と最初に接触するときに、２０°未満の接触払出し角度で直線部分を含む払出し案内経路の一部に沿って移動するのに対し、引用発明１の１においては、プッシャが物品と最初に接触するときに、０°の接触払出し角度で払出し案内経路に沿って移動する点（以下、「相違点４」という。）。
　
　上記相違点４について検討する。
　
　本願発明４における２０°未満の接触払出し角度で直線部分を含む払出し案内経路の一部に沿って移動する態様は、引用発明１の１における０°の接触払い出し角度で払出し案内経路に沿って移動する態様を含むものであり、且つ、引用発明１の１における０°の接触払い出し角度である払出し案内経路は直線部分であるので、引用発明１の１において、上記相違点４に係る本願発明４の発明特定事項のようにすることは、当業者が容易に推考し得るものである。
　
　また、本願発明４全体としてみても、引用発明１の１から予測される以上の格別な効果を奏するとも認められない。
　
　以上から、本願発明４は、引用発明１の１に基づいて、当業者が容易に発明をすることができたものである。
　
３−５．対比・判断５
　本願発明５と引用発明１の１を対比すると、引用発明１の１における「直進・分岐の位置選択装置」は、その機能及び構成からみて、本願発明５における「スイッチ」に相当し、以下同様に、「ガイド板５」は「払出し案内経路」に、「外装嵌挿」は「保持」に、「移動シュー２」は「プッシャ」に、「案内されて搬出する」は「沿って移動する」に、それぞれ相当する。
　また、引用発明１の１における「０°の接触払い出し角度でガイド板５に沿って移動する」は、「所定の接触払い出し角度で払出し案内経路に沿って移動する」という限りにおいて、本願発明５における「２０°未満の接触払出し角度で全て直線状である該一部に沿って移動する」に相当する。
　
　したがって、両者は、
「　払出し場所で物品を選択的に払出せる仕分けコンベヤであって、
　該仕分けコンベヤは、
　ａ．長手方向下流に移動するように構成される無端搬送面と、
　ｂ．前記払出し場所に関連するスイッチと、
　ｃ．該スイッチの下流に配置され、複数の払出し角度を有する払出し案内経路と、
　ｄ．前記無端搬送面により保持され、且つ該無端搬送面とともに移動するように構成される複数のプッシャであって、該複数のプッシャはそれぞれ、前記スイッチにより選択的に払出されて前記払出し案内経路に沿って移動することにより、前記物品の選択された１つと係合して払出せるように構成される、複数のプッシャと、
　ｅ．前記払出し案内経路の少なくとも一部であって、前記プッシャの内の複数からなる払出された組の少なくとも１つのプッシャが前記物品の前記選択された１つと最初に接触するときに、所定の接触払い出し角度で払出し案内経路に沿って移動する前記払出された組の前記少なくとも１つのプッシャを案内するように構成される、前記払出し案内経路の少なくとも一部と
を備える仕分けコンベヤ。」
で一致し、次の点で相違する。
　
（相違点）
　本願発明５においては、プッシャが物品と最初に接触するときに、２０°未満の接触払出し角度で全て直線状である払出し案内経路の一部に沿って移動するのに対し、引用発明１の１においては、プッシャが物品と最初に接触するときに、０°の接触払出し角度で払出し案内経路に沿って移動する点（以下、「相違点５」という。）。
　
　上記相違点５について検討する。
　
　本願発明５における２０°未満の接触払出し角度で直線部分を含む払出し案内経路の一部に沿って移動する態様は、引用発明１の１における０°の接触払い出し角度で払出し案内経路に沿って移動する態様を含むものであり、且つ、引用発明１の１における０°の接触払い出し角度である払出し案内経路は直線状であるので、引用発明１の１において、上記相違点５に係る本願発明５の発明特定事項のようにすることは、当業者が容易に推考し得るものである。
　
　また、本願発明５全体としてみても、引用発明１の１から予測される以上の格別な効果を奏するとも認められない。
　
　以上から、本願発明５は、引用発明１の１に基づいて、当業者が容易に発明をすることができたものである。
　
３−６．対比・判断６
　本願発明６と引用発明１の２を対比すると、引用発明１の２における「移動シュー２」は、その機能及び構成からみて、本願発明６における「プッシャ」に相当し、以下同様に、「ガイド板５」は「払出し案内経路」に相当する。
　また、引用発明１の２における「最初の接触角度は０°」は、「最初の接触角度が所定角度」という限りにおいて、本願発明６における「最初の接触角度は約２０°未満」に相当する。
　
　したがって、両者は、
「　払出し場所で長手方向下流に移動する無端搬送面上に配置される物品を選択的に払出せる方法であって、
　ａ．前記無端搬送面上に取り付けられた複数のプッシャを準備し、前記無端搬送面とともに移動させるステップと、
　ｂ．前記無端搬送面を前記長手方向下流に移動させるステップと、
　ｃ．複数のプッシャからなる払出された組の少なくとも１つのプッシャが最初の接触払出し角度で移動している間に、払出される前記物品の選択された１つを前記少なくとも１つのプッシャと最初に接触させるステップであって、前記最初の接触角度は所定角度であるステップと、
　ｄ．該最初に接触させるステップの後に、前記の払出された組を、払出し案内経路に沿って複数の払出し角度で案内するステップと
を含む方法。」
で一致し、次の点で相違する。
　
（相違点）
　本願発明６においては、物品とプッシャが最初に接触する接触払出し角度が２０°未満であるのに対し、引用発明１の２においては、物品とプッシャが最初に接触する接触払出し角度が０°である点（以下、「相違点６」という。）。
　
　上記相違点６について検討する。
　
　本願発明６における２０°未満の接触払出し角度は、引用発明１の２における０°の接触払出し角度を含むものであり、２０°未満とすることによる臨界的意義も認められないので、引用発明１の２において、上記相違点６に係る本願発明６の発明特定事項のようにすることは、当業者が容易に推考し得るものである。
　
　また、本願発明６を全体としてみても、引用発明１の２から予測される以上の格別な効果を奏するとも認められない。
　
　以上から、本願発明６は、引用発明１の２に基づいて、当業者が容易に発明をすることができたものである。
　
３−７．対比・判断７
　本願発明７と引用発明１の２を対比すると、引用発明１の２における「移動シュー２」は、その機能及び構成からみて、本願発明７における「プッシャ」に相当し、以下同様に、「ガイド板５」は「払出し案内経路」に相当する。
　また、引用発明１の２における「最初の接触角度は０°」は、「最初の接触角度が所定角度」という限りにおいて、本願発明７における「最初の接触角度は約１０°未満」に相当する。
　
　したがって、両者は、
「　払出し場所で長手方向下流に移動する無端搬送面上に配置される物品を選択的に払出せる方法であって、
　ａ．前記無端搬送面上に取り付けられた複数のプッシャを準備し、前記無端搬送面とともに移動させるステップと、
　ｂ．前記無端搬送面を前記長手方向下流に移動させるステップと、
　ｃ．複数のプッシャからなる払出された組の少なくとも１つのプッシャが最初の接触払出し角度で移動している間に、払出される前記物品の選択された１つを前記少なくとも１つのプッシャと最初に接触させるステップであって、前記最初の接触角度は所定角度であるステップと、
　ｄ．該最初に接触させるステップの後に、前記の払出された組を、払出し案内経路に沿って複数の払出し角度で案内するステップと
を含む方法。」
で一致し、次の点で相違する。
　
（相違点）
　本願発明７においては、物品とプッシャが最初に接触する接触払出し角度が１０°未満であるのに対し、引用発明１の２においては、物品とプッシャが最初に接触する接触払出し角度が０°である点（以下、「相違点７」という。）。
　
　上記相違点７について検討する。
　
　本願発明７における１０°未満の接触払出し角度は、引用発明１の２における０°の接触払出し角度を含むものであり、１０°未満とすることによる臨界的意義も認められないので、引用発明１の２において、上記相違点７に係る本願発明７の発明特定事項のようにすることは、当業者が容易に推考し得るものである。
　
　また、本願発明７を全体としてみても、引用発明１の２から予測される以上の格別な効果を奏するとも認められない。
　
　以上から、本願発明７は、引用発明１の２に基づいて、当業者が容易に発明をすることができたものである。　
　
３−８．対比・判断８
　本願発明８と引用発明１の２を対比すると、引用発明１の２における「移動シュー２」は、その機能及び構成からみて、本願発明８における「プッシャ」に相当し、以下同様に、「ガイド板５」は「払出し案内経路」に相当する。
　また、引用発明１の２における「最初の接触角度は０°」は、「最初の接触角度が所定角度」という限りにおいて、本願発明８における「最初の接触角度は約５°未満」に相当する。
　
　したがって、両者は、
「　払出し場所で長手方向下流に移動する無端搬送面上に配置される物品を選択的に払出せる方法であって、
　ａ．前記無端搬送面上に取り付けられた複数のプッシャを準備し、前記無端搬送面とともに移動させるステップと、
　ｂ．前記無端搬送面を前記長手方向下流に移動させるステップと、
　ｃ．複数のプッシャからなる払出された組の少なくとも１つのプッシャが最初の接触払出し角度で移動している間に、払出される前記物品の選択された１つを前記少なくとも１つのプッシャと最初に接触させるステップであって、前記最初の接触角度は所定角度であるステップと、
　ｄ．該最初に接触させるステップの後に、前記の払出された組を、払出し案内経路に沿って複数の払出し角度で案内するステップと
を含む方法。」
で一致し、次の点で相違する。
　
（相違点）
　本願発明８においては、物品とプッシャが最初に接触する接触払出し角度が５°未満であるのに対し、引用発明１の２においては、物品とプッシャが最初に接触する接触払出し角度が０°である点（以下、「相違点８」という。）。
　
　上記相違点８について検討する。
　
　本願発明８における５°未満の接触払出し角度は、引用発明１の２における０°の接触払出し角度を含むものであり、５°未満とすることによる臨界的意義も認められないので、引用発明１の２において、上記相違点８に係る本願発明８の発明特定事項のようにすることは、当業者が容易に推考し得るものである。
　
　また、本願発明８を全体としてみても、引用発明１の２から予測される以上の格別な効果を奏するとも認められない。
　
　以上から、本願発明８は、引用発明１の２に基づいて、当業者が容易に発明をすることができたものである。
　
３−９．対比・判断９
　本願発明９と引用発明２を対比すると、引用発明２における「貨物」は、その機能及び構成からみて、本願発明９における「物品」に相当し、以下同様に、「導出用のポイント２５ａ、２５ｂ」は「複数のスイッチ」に、「導出用のポイント２５ａ」は「最後のスイッチ」に、「導出レール１５」は「払出し案内経路」に、それぞれ相当する。
　
　したがって、両者は、
「　払出し場所で物品を選択的に払出せるように構成される仕分けコンベヤであって、
　該仕分けコンベヤは、
　ａ．前記払出し場所に関連する複数のスイッチであって、該複数のスイッチの１つは、
該複数のスイッチの最後のスイッチを含む複数のスイッチと、
　ｂ．前記最後のスイッチに関連する払出し案内経路と
を備える仕分けコンベヤ。」
で一致し、次の点で相違する。
　
（相違点）
　本願発明９においては、最後のスイッチに関連する払出し案内経路が、少なくとも１つの半径を有する弓状部分を備え、該半径は少なくとも約０．３０メートルであるのに対し、引用発明２においては、最後のスイッチ以外に関連する払出し案内経路が、弓状部分を備えているものの、最後のスイッチに関連する払出し案内経路は、弓状部分を備えていない点。（以下、「相違点９」という。）。
　
　上記相違点９について検討する。
　
　本願発明９と引用発明１の３とを対比すると、引用発明１の３における「分岐搬送ガイド溝５０１」は、その機能及び構成からみて、本願発明における「払出し案内経路」に相当する。
　
　したがって、引用発明１の３を本願発明９の用語を用いて表現すると、
「　払出し案内経路が、少なくとも１つの半径を有する弓状部分を備えた仕分けコンベヤ。」といえる。
　
　引用発明２と引用発明１の３は、いずれも払出し案内経路を備えた仕分けコンベヤという同一の技術分野に属しているので、引用発明２において、引用発明１の３を適用して、最後のスイッチに関連する払出し案内経路を弓状部分を備えた構成とすることは、当業者が容易に推考し得るものである。そして、弓状部分の払出し案内経路の半径をどの程度とするかは、装置の大きさや搬送速度等を考慮しながら当業者が適宜設定し得るものである。
　
　また、本願発明９を全体としてみても、引用発明２及び引用発明１の３から予測される以上の格別な効果を奏するとも認められない。
　以上から、本願発明は、引用発明２及び引用発明１の３に基づいて、当業者が容易に発明をすることができたものである。
　
４．むすび
　以上のとおり、本願発明１ないし９は、引用発明１の１、１の２、１の３及び引用発明２に基づいて、当業者が容易に発明をすることができたものであるから、特許法第２９条２項の規定により特許を受けることができない。
　
　よって、結論のとおり審決する。